(57)【特許請求の範囲】
【請求項１】
帯状のバンド体の一端側が固定される締付具本体と、当該締付具本体に回動軸部を介して軸支されるレバー体とから成り、
当該レバー体を前記締付具本体の側に閉じることで、前記バンド体の他端側を引き寄せて、被締付物に対してバンド体を締め付ける構成のバンド体締付具であって、
前記レバー体及び締付具本体のいずれか一方には、前記回動軸部が設けられ、その他方には、当該回動軸部を軸支する軸受部、及び当該回動軸部を前記バンド体の張力方向に沿って支持する支持部が設けられ、
前記回動軸部には、前記締付具本体に対して前記レバー体が閉じられる直前まで、当該締付具本体とレバー体とが相対的にスライドするのを防止すべく、前記支持部に摺接する円盤状のスライド防止部が設けられて、当該スライド防止部の外周面には、円弧溝状をしたスライド可能溝が形成され、
前記締付具本体に対してレバー体を閉じることで、バンド体の張力により、前記締付具本体とレバー体とが相対的にスライドして、前記スライド可能溝に前記支持部が嵌り込む構成であることを特徴とするバンド体締付具。
【請求項２】
前記レバー体、及び締付具本体には、前記バンド体の張力の作用方向に沿って係合して、前記レバー体の開方向への回動を不能とする係合部、及び被係合部がそれぞれ形成されていることを特徴とする請求項１に記載のバンド体締付具。
【請求項３】
前記回動軸部を構成する前記スライド防止部と、幅方向の両端部に設けられた一対の支持軸部とは、それぞれ個別に設けられていることを特徴とする請求項１又は２に記載のバンド体締付具。
【請求項４】
前記回動軸部は、レバー体に設けられていて、当該回動軸部には、バンド体の他端部を部分巻付けして引っ掛けるためのバンド体引掛け部が形成され、
前記締付具本体に対してレバー体を閉じることで、バンド体に作用する張力により、前記バンド体引掛け部は前記支持部に支持される構成であることを特徴とする請求項１ないし３のいずれかに記載のバンド体締付具。
【請求項５】
前記レバー体及び締付具本体には、それぞれ係合解除溝が、一部が互いに重複した状態で、前記バンド体の張力の作用方向に沿ってずれて形成されていることを特徴とする請求項１ないし４のいずれかに記載のバンド体締付具。
【発明の詳細な説明】
【技術分野】
【０００１】
本発明は、帯状のバンド体の一端側が固定される締付具本体と、当該締付具本体に回動軸部を介して軸支されるレバー体とから成るバンド体締付具に関するものである。
【背景技術】
【０００２】
上記構成のバンド体締付具は、レバー体を前記締付具本体の側に閉じることで、バンド体の他端側を引き寄せて、被締付物に対してバンド体を締め付ける構成であって、従来のバンド体締付具の一つが特許文献１に記載されている。
【０００３】
特許文献１の図１〜図２０に記載のバンド締付け具は、本体２の長手方向の一端部における幅方向の両端部に側板５が形成され、各側板５には、内側に開口した凹状の軸受１２が形成され、凹状の各軸受１２の内周面には、後述の回動レバー３の各回転軸２５が係合される突起１７がそれぞれ突設されている。回動レバー３の長手方向の一端部には、バンドＢを巻き込むための巻き込み軸２８が設けられ、当該巻き込み軸２８の両端面の部分に設けられた各後側板２４には、回転軸２５がそれぞれ設けられている。
【０００４】
本体２の側板５に形成された凹状の各軸受１２には、回動レバー３の各回転軸２５が嵌め込まれることで、本体２に対して回動レバー３が回動可能に支持されて、本体２に対して回動レバー３を閉じることで、本体２の長手方向の他端部に形成された係合爪２０と、回動レバー３の上板２２の裏面側に形成された爪受け４２との係合により、本体２に対して回動レバー３が開方向に回動しない構造になっている。
【０００５】
バンドＢの両端部は、それぞれ本体２及び回動レバー３の巻き込み軸２８に巻き付けられ、本体２に対して回動レバー３を倒すことで、本体２に対して回動レバー３が少しずつスライドすることで、凹状の各軸受１２内において回動レバー３の各回転軸２５が前記突起１７に係合されると共に、本体２の長手方向の他端部の係合爪２０と回動レバー３の爪受け４２とが係合され、前記バンドＢに作用する張力によって、回転軸２５及び係合爪２０の各係合状態が維持される構成である。
【０００６】
このように、特許文献１に開示のバンド締付け具は、回動レバー３の回動時において、本体２に対して徐々にスライドして、本体２に対して回動レバー３が完全に閉じられた状態で、本体２に対する回動レバー３のスライドが停止する構成であって、回動レバー３の回動操作を安定して行えない。
【０００７】
特許文献１に開示のいずれの実施例においても、バンドＢに作用する大きな張力により、本体２と回動レバー３とが相対的にスライドしながら、本体２に対して回動レバー３が回動する構成である。よって、本体２に対して回動レバー３が閉止されて、本体２と回動レバー３との相対スライドが停止された状態において、本体２の係合部（突起１７又は凹凸条４４）と回動レバー３の被係合部（回転軸２５の切欠き２６又は凹凸条４７）とが完全に係合しないで、即ち、不完全係合の状態で、本体２に対して回動レバー３が閉止される恐れがあるため、バンド締付け具としてのバンドＢの締付け状態の安定性に欠ける問題もある。
【０００８】
また、本体２に対して回動レバー３が閉じられて、バンドＢに作用する張力により被締付物を締め付けた状態では、本体２に対する回動レバー３の支持は、一対の回転軸２５の部分のみで行われる構造であるため、締付状態における回動レバー３の支持力が小さいという問題もある。
【先行技術文献】
【特許文献】
【０００９】
【特許文献１】国際公開第２０１３／１４５１１８号公報
【発明の概要】
【発明が解決しようとする課題】
【００１０】
本発明は、バンド体による被締付物の締付け時におけるレバー体の回動操作が容易なバンド体締付具の提供を課題としている。
【課題を解決するための手段】
【００１１】
上記課題を解決するための請求項１の発明は、帯状のバンド体の一端側が固定される締付具本体と、当該締付具本体に回動軸部を介して軸支されるレバー体とから成り、当該レバー体を前記締付具本体の側に閉じることで、前記バンド体の他端側を引き寄せて、被締付物に対してバンド体を締め付ける構成のバンド体締付具であって、前記レバー体及び締付具本体のいずれか一方には、前記回動軸部が設けられ、その他方には、当該回動軸部を軸支する軸受部、及び当該回動軸部を前記バンド体の張力方向に沿って支持する支持部が設けられ、前記回動軸部には、前記締付具本体に対して前記レバー体が閉じられる直前まで、当該締付具本体とレバー体とが相対的にスライドするのを防止すべく、前記支持部に摺接する円盤状のスライド防止部が設けられて、当該スライド防止部の外周面には、円弧溝状をしたスライド可能溝が形成され、前記締付具本体に対してレバー体を閉じることで、バンド体の張力により、前記締付具本体とレバー体とが相対的にスライドして、前記スライド可能溝に前記支持部が嵌り込む構成であることを特徴としている。
【００１２】
請求項１の発明によれば、締付具本体に対してレバー体を回動させる際に、レバー体又は締付具本体のいずれか一方に設けられた回動軸部を構成するスライド防止部が、その他方に設けられた支持部に摺接することで、バンド体に作用する張力は、当該支持部で支持されて、回動軸部を構成する支持軸部には、全く作用せず、しかも締付具本体とレバー体とは、相対的にスライドしないので、締付具本体に対するレバー体の回動操作が容易となる。
【００１３】
また、締付具本体に対するレバー体の回動が完結させる直前において、円盤状のスライド防止部を摺接させていた支持部は、当該スライド防止部の外周面に設けられた円弧溝状のスライド可能溝に嵌め込まれることで、レバー体と締付具本体とは、バンド体に作用する張力によって、当該張力の作用方向に沿って相対的に一気にスライドすることで、締付具本体に対してレバー体が完全に閉じられて、当該レバー体の開方向への回動が不能となる。
【００１４】
請求項２の発明は、請求項１の発明において、前記レバー体、及び締付具本体には、前記バンド体の張力の作用方向に沿って係合して、前記レバー体の開方向への回動を不能とする係合部、及び被係合部がそれぞれ形成されていることを特徴としている。
【００１５】
請求項２の発明によれば、締付具本体に対してレバー体が閉じられることで、当該レバー体及び締付具本体に設けられた係合部と被係合部とは、前記バンド体の張力の作用方向に沿って互いに係合するため、締付具本体に対してレバー体が閉じられた状態において、当該レバー体が引き起こされるのを一層確実に防止できる。
【００１６】
請求項３の発明は、請求項１又は２の発明において、前記回動軸部を構成する前記スライド防止部と、幅方向の両端部に設けられた一対の支持軸部とは、それぞれ個別に設けられていることを特徴としている。
【００１７】
請求項３の発明によれば、締付具本体に対してレバー体が閉じられた状態において、バンド体に作用する張力は、レバー体又は締付具本体の一方に設けられた回動軸部を構成する円盤状のスライド防止部が、その他方に設けられた支持部に当接することのみで支持されて、一対の回動軸部には、一切作用しないので、レバー体の回動操作が容易になると共に、当該一対の回動軸部の剛性を高める必要はない。
【００１８】
請求項４の発明は、請求項１ないし３のいずれかの発明において、前記回動軸部は、レバー体に設けられていて、当該回動軸部には、バンド体の他端部を部分巻付けして引っ掛けるためのバンド体引掛け部が形成され、前記締付具本体に対してレバー体を閉じることで、バンド体に作用する張力により、前記バンド体引掛け部は前記支持部に支持される構成であることを特徴としている。
【００１９】
請求項４の発明によれば、締付具本体に対してレバー体を閉じて、バンド体により被締付物を締め付けている状態において、スライド防止部は支持部で支持されると共に、バンド体の他端部を部分巻付けして引っ掛けるためのバンド体引掛け部も当該支持部で支持されることで、バンド体に作用する張力は、締付具本体のほぼ全幅に亘って支持される構成であるので、バンド体に作用する張力の支持力が一層に大きくなる。
【００２０】
請求項５の発明は、請求項１ないし４のいずれかの発明において、前記レバー体及び締付具本体には、それぞれ係合解除溝が、一部が互いに重複した状態で、前記バンド体の張力の作用方向に沿ってずれて形成されていることを特徴としている。
【００２１】
請求項５の発明によれば、バンド体を緩める必要が生じた場合には、レバー体及び締付具本体に設けられた各係合解除溝にマイナスドライバー等の工具の先端部を挿入して、回動させると、バンド体の張力に抗して、レバー体と締付具本体とが相対的にスライドして、レバー体及び締付具本体に設けられた係合部と被係合部との係合が解除されて、締付具本体に対してレバー体を引き起こすことができる。
【発明の効果】
【００２２】
本発明によれば、締付具本体に対してレバー体を回動させる際に、レバー体又は締付具本体のいずれか一方に設けられた回動軸部を構成するスライド防止部が、その他方に設けられた支持部に摺接することで、バンド体に作用する張力は、当該支持部で支持されて、回動軸部を構成する支持軸部には、全く作用せず、しかも締付具本体とレバー体とは、相対的にスライドしないので、締付具本体に対するレバー体の回動操作が容易となる。
【図面の簡単な説明】
【００２３】
【図１】締付具本体Ｅ及びレバー体Ｌを斜上方から見た分離状態の斜視図である。
【図２】締付具本体Ｅ及びレバー体Ｌを斜下方から見た分離状態の斜視図である。
【図３】（ａ）は、締付具本体Ｅの平面図、（ｂ）は、（ａ）のＸ1 −Ｘ1 線断面図である。
【図４】（ａ），（ｂ）は、それぞれ図３（ａ）のＸ2 −Ｘ2 線及びＸ3 −Ｘ3 線の断面図である。
【図５】（ａ），（ｂ）は、それぞれレバー体Ｌの平面図及び側面図である。
【図６】（ａ）は、図５（ａ）のＹ−Ｙ線断面図であり、（ｂ）は、（ａ）のＺ−Ｚ線断面図である。
【図７】（ａ），（ｂ）は、それぞれ締付具本体Ｅに対するレバー体Ｌが開状態、及びレバー体Ｌが閉じて、締付具本体Ｅの被係合溝１８とレバー体Ｌの係合突起３９とが係合した状態の斜視図である。
【図８−Ａ】（ａ），（ｂ）は、締付具本体Ｅに対してレバー体Ｌが開いている状態、及び閉じられる直前の状態を示す縦断面図である。
【図８−Ｂ】（ｃ），（ｄ）は、締付具本体Ｅに対してレバー体Ｌが完全に閉じられて、締付具本体Ｅの被係合溝１８とレバー体Ｌの係合突起３９とが係合する前後の状態を順次示す縦断面図である。
【図９】締付具本体Ｅの被係合溝１８とレバー体Ｌの係合突起３９との係合を解除する状態を示す斜視図である。
【図１０】本発明に係るバンド体締付具Ｆを用いて、架設ポール７１に対して機器収容ボックス７２を取付けた状態の斜視図である。
【発明を実施するための形態】
【００２４】
以下、実施例を挙げて、本発明を更に詳細に説明する。図１及び図２に示されるように、本発明に係るバンド体締付具Ｆは、バンド体Ｂの一端側に固定される締付具本体Ｅと、当該締付具本体Ｅに回動可能に軸支されるレバー体Ｌとから成り、いずれも樹脂の射出成形品である。締付具本体Ｅは、レバー体Ｌの回動軸部Ｒを軸支可能な構造になっているので、当該締付具本体Ｅの説明は、レバー体Ｌの説明を交えて行う。締付具本体Ｅは、図１〜図４に示されるように、底壁部１の両側に一対の側壁部２が対向して一体に形成され、当該底壁部１は、バンド体Ｂの配置方向に沿ってほぼ二分した場合に、バンド体Ｂの一端側Ｂ1 が挿通・固定されると共に、その他端側Ｂ2 が挿通される厚肉のバンド体挿通・固定部３と、レバー体Ｌの回動軸部Ｒを収容して回動可能に軸支するための前記バンド体挿通・固定部３よりは、遥かに薄肉の軸支部４とから成る。
【００２５】
レバー体Ｌは、図１、図２、図５及び図６に示されるように、レバー部３１の基端部に回動軸部Ｒが一体に設けられた構造であって、回動軸部Ｒは、ほぼ直径方向に設けられたバンド体挿通孔３２にバンド体Ｂの他端側Ｂ2 が挿通されて、当該バンド体Ｂに作用する張力Ｔにより当該バンド体Ｂを引掛け固定するバンド体引掛け固定部３３と、締付具本体Ｅに対してレバー体Ｌが開状態において、当該レバー体Ｌがバンド体Ｂの他端側Ｂ2 の張力Ｔの作用方向にスライドされるのを防止するために、当該バンド体引掛け固定部３３の軸方向の両端部に一体に設けられた略円盤状をした一対のスライド防止部３４と、締付具本体Ｅに対してレバー体Ｌを回動可能に軸支するために、当該一対のスライド防止部３４の外側面に一体に設けられた一対の支持軸部３５とから成る。側面視において、支持軸部３５は完全円形であるが、バンド体引掛け固定部３３及びスライド防止部３４は、非完全円形であり、その外径は、支持軸部３５、バンド体引掛け固定部３３、スライド防止部３４の順で大きくなっている。前記バンド体挿通孔３２は、図６に示されるように、回動軸部Ｒの全体の回動軸心Ｃ0 に対してずれた位置であって、しかもバンド体Ｂを鋭角状にして引っ掛けるために、レバー部３１の長手方向に対して非直角に形成されている。なお、締付具本体Ｅに対するレバー体Ｌの組み付けを可能にするために、支持軸部３５におけるレバー部３１の先端と反対側の部分は、テーパー面部３５ａが形成されている。
【００２６】
図１、図２及び図 5（ｂ）に示されるように、一対のスライド防止部３４の外周面におけるレバー部３１とほぼ反対側であって、肉厚方向に沿って外側の部分には、締付具本体Ｅに対してレバー体Ｌが閉じられた状態において、バンド体Ｂの他端側Ｂ2 の張力Ｔにより、締付具本体Ｅに対するレバー体Ｌのスライドを可能にするための円弧状のスライド可能溝３６が形成されている。図 5（ｂ）に示されるように、スライド可能溝３６は円弧状であって、この円弧の中心Ｃ3 は、回動軸部Ｒの回動軸心Ｃ0 に対してレバー部３１の側に、レバー体Ｌのスライド量Ｓだけずれた位置に配置されている。前記スライド防止部３４の円形部の外径を（Ｄ）とした場合において、前記スライド可能溝３６の底面である円弧面は、前記中心Ｃ3 を中心とする半径（Ｄ／２）の円弧である。
【００２７】
レバー部３１は、天板部３７の幅方向の両端に側板部３８が、組付け状態で締付具本体Ｅの側に向けて一体に形成されたものであって、当該レバー部３１の先端部の両側板部３８には、一対の係合突起３９が幅方向に突出して形成され、天板部３７と一対の側板部３８の各交差部における前記係合突起３９よりも回動軸部Ｒの側に近い部分には、それぞれ係合解除溝４１が形成されている。ここで、図５（ｂ）において、回動軸部Ｒの回動軸心Ｃ0 と前記係合突起３９の当該回動軸心Ｃ0 の側の端縁との距離を（Ｍ）と定める。なお、図１、図２及び図６において、４２は、レバー体Ｌの裏面側において、バンド体Ｂの他端側Ｂ2 の部分を喰い込ませるために、バンド体挿通孔３２に臨む部分に形成された喰込み突起を示し、４３は、レバー体Ｌの閉操作を行う際に、人の指先を引っ掛けるためにレバー部３１の先端部の上面に設けられた指先引掛け部を示し、４４は、バンド体引掛け固定部３３において、バンド体挿通孔３２と平行に設けられた肉盗み部を示す。
【００２８】
次に、図１〜図４を参照して、締付具本体Ｅについてレバー体Ｌとの関係において、更に詳細に説明する。締付具本体Ｅの軸支部４は、レバー体Ｌの回動軸部Ｒを収容して回動可能に軸支する部分であって、一対の側壁部２の内側面には、レバー体Ｌの回動軸部Ｒの支持軸部３５を支持する凹溝状の軸受凹部５が対向して形成されていると共に、底壁部１におけるレバー体Ｌの回動軸部Ｒが収容される部分は、回動軸部Ｒの支持軸部３５の外径に対応する円弧面状に形成されている。前記軸受凹部５は、底壁部１を貫通する方形溝の上端に略半円状をした略半円溝が接続された形状であって、当該軸受凹部５の略半円状の部分においてレバー体Ｌの支持軸部３５が支持される。軸受凹部５の略半円状の部分の形状を詳細に説明すると、当該支持軸部３５の外径に対応した二つの四分円弧（中心角が９０°の円弧）が、レバー体Ｌのスライド量Ｓだけ、締付具本体Ｅとレバー体Ｌとの相対的なスライド方向Ｐ〔図８−Ｂ（ｃ）参照〕に沿って離れて配置されて、二つの四分円弧がスライド量Ｓの長さの線分で連結された形状である。バンド体挿通・固定部３に近い側の四分円弧の中心は、締付具本体Ｅに対してレバー体Ｌを回動可能に連結した（組み付けた）状態において、当該レバー体Ｌの回動軸心Ｃ0 が配置される位置Ｃ1 であると共に、バンド体挿通・固定部３から離れた側の四分円弧の中心は、締付具本体Ｅに対してレバー体Ｌが、バンド体Ｂの張力Ｔによりスライドされた後の後述の「係合状態」におけるレバー体Ｌの回動軸部Ｒの回動軸心Ｃ0 が配置される位置Ｃ2 となる。なお、軸受凹部５が底壁部１を貫通して形成されているのは、射出成形時に使用されるスライド型によるものであって、レバー体Ｌの回動軸部Ｒを支持するという機能上の意味は全くない。
【００２９】
また、図１〜図４において、締付具本体Ｅの軸支部４における前記軸受凹部５よりもバンド体挿通・固定部３から離れた位置の底壁部１には、一対の第１支持板部６と、当該一対の第１支持板部６の間に配置された一対の第２支持板部７との計４つの支持板部６，７が当該底壁部１の幅方向に沿って所定間隔をおいて一体に設けられている。一対の第１支持板部６は、レバー体Ｌの回動軸部Ｒを構成する一対のスライド防止部３４の軸心方向に沿った配置位置に対応した位置である各側壁部２の内側に配置されて、締付具本体Ｅにレバー体Ｌを連結した（組み付けた）状態において、前記一対のスライド防止部３４の一部が摺接して、レバー体Ｌの開状態において、当該レバー体Ｌがスライドするのを防止する基本作用を有し、レバー体Ｌの閉状態において、レバー体Ｌの回動軸部Ｒの各スライド防止部３４の外周面に設けられたスライド可能溝３６に第１支持板部６が嵌り込んで、当該レバー体Ｌのスライドを可能にすることで、締付具本体Ｅの後述の被係合溝１８とレバー体Ｌの前記係合突起３９との係合が解除されるのを不能としている。従って、第１支持板部６の支持面６ａは、前記位置Ｃ1 を中心とする半径（Ｄ／２）の円弧面で形成される。なお、図４（ａ）において、２点鎖線の円で示されるＫ1 ，Ｋ2 は、それぞれレバー体Ｌの開状態、及びレバー体Ｌの係合突起３９と締付具本体Ｅの被係合溝１８との係合状態におけるスライド防止部３４の配置位置を示す。
【００３０】
また、一対の第１支持板部６の間に配置された一対の第２支持板部７は、締付具本体Ｅに対してレバー体Ｌがスライド量（Ｓ）だけスライドされて、レバー体Ｌの係合突起３９と締付具本体Ｅの被係合溝１８とが係合された状態において、レバー体Ｌのバンド体引掛け固定部３３が当接することで、バンド体Ｂの張力Ｔにより、レバー体Ｌの全体が当該張力Ｔにより引っ張られる力を受ける部分であり、図４（ｂ）において、２点鎖線の円で示されるＫ3 は、この状態におけるバンド体引掛け固定部３３の配置位置を示す。従って、第２支持板部７の支持面７ａは、前記位置Ｃ2 を中心とするバンド体引掛け固定部３３の外径と同一の円弧面となっている。
【００３１】
厚肉状のバンド体挿通・固定部３には、バンド体Ｂの基端側を挿通して、底壁部１の底面から突出させるバンド体挿通孔１１がバンド体Ｂの配置方向に貫通して設けられていると共に、当該バンド体挿通孔１１は、底壁部１に設けられたバンド体引出孔１２に連通している。止金具１３は、金属板を鈍角状に折り曲げて形成され、バンド体挿通・固定部３には、バンド体挿通孔１１に連通する止金具挿入開口１４がレバー体Ｌが配置される面に開口して設けられ、当該止金具挿入開口１４から止金具１３が内部に挿入されて、止金具１３の基端部が止金具挿入孔１５に挿入固定されて、その先端部が、バンド体Ｂに作用する張力により当該バンド体Ｂの基端側の端部に喰い込むことで、当該バンド体Ｂの基端側が締付具本体Ｅに固定される。
【００３２】
バンド体挿通・固定部３の上面は、軸支部４から離れるに従って徐々に厚肉となるような傾斜面１６と、一対の側壁部２の上端面と平行な平行面１７とが接続されて形成され、バンド体挿通・固定部３の前記平行面１７の部分の一対の側壁部２には、内側面から見てＬ字形をした被係合溝１８が形成されている。被係合溝１８は、前記平行面１７に対して垂直な挿入溝部１８ａと、前記平行面１７と平行となって、当該挿入溝部１８ａから軸支部４の側に向けて設けられた被係合溝部１８ｂとから成る。なお、被係合溝１８の被係合溝部１８ｂが挿入溝部１８ａを超えて、側壁部２の端部まで達しているのは、締付具本体Ｅの射出成形時に使用されるスライド型によるものであって、レバー体Ｌの係合突起３９と係合する係合機能とは無関係の構造である。
【００３３】
なお、図１及び図３に示されるように、締付具本体Ｅの軸支部４の部分の一対の側壁部２の上端には、側壁部２からのレバー体Ｌのスライド防止部３４の突出部を覆うような三日月状の覆板部１９が設けられ、当該覆板部１９の内側面は、締付具本体Ｅに対するレバー体Ｌの組み付けを容易にするためにテーパー面１９ａに形成されている。
【００３４】
締付具本体Ｅに対してレバー体Ｌを組み付けるには、支持軸部３５のテーパー面部３５ａを真下にして、締付具本体Ｅの軸支部４に対してレバー体Ｌを押し込むと、締付具本体Ｅの軸支部４の一対の側壁部２が僅かに拡開されて、締付具本体Ｅの軸支部４にレバー体Ｌの回動軸部Ｒが収容配置される。これにより、締付具本体Ｅの一対の軸受凹部５にレバー体Ｌの一対の支持軸部３５が配置されると共に、軸支部４の底面である底壁部１の上面の円弧面と一対の第１支持板部６の支持面６ａにレバー体Ｌのスライド防止部３４が摺接されることで、締付具本体Ｅの軸支部４にレバー体Ｌの回動軸部Ｒが回動可能に支持される。
【００３５】
図８−Ａに示されるように、締付具本体Ｅに対してレバー体Ｌが開いている状態〔図８−Ａ（ａ）〕において、締付具本体Ｅに対してレバー体Ｌを回動させて閉じることで、図８−Ａ（ｂ）に示されるように、締付具本体Ｅに対してレバー体Ｌが完全に閉じられる直前までは、バンド体Ｂに作用する張力Ｔは、レバー体Ｌの一対のスライド防止部３４が、締付具本体Ｅの一対の第１支持板部６の支持面６ａに摺接することで、当該一対の第１支持板部６の部分で支持されて、締付具本体Ｅに対してレバー体Ｌは全くスライドしない。この結果、締付具本体Ｅに対してレバー体Ｌを軸支する支持軸部３５と、バンド体Ｂの張力Ｔを受ける部材（締付具本体Ｅの第１及び第２の各支持板部６，７と、レバー体Ｌのスライド防止部３４及びバンド体引掛け固定部３３）とが分離されていて、締付具本体Ｅに対してレバー体Ｌを回動させて閉じる際には、締付具本体Ｅに対してレバー体Ｌを支持している一対の支持軸部３５は、バンド体Ｂの張力Ｔが全く作用せず、しかもスライドもしないので、締付具本体Ｅに対するレバー体Ｌの回動操作が容易となる。
【００３６】
図８−Ａ（ｂ）の状態において、締付具本体Ｅに対してレバー体Ｌを更に回動させると、レバー体Ｌの係合突起３９が、締付具本体Ｅの被係合溝１８の挿入溝部１８ａに挿入され〔図８−Ｂ（ｃ）〕、その後に、バンド体Ｂの張力Ｔにより、当該レバー体Ｌが第１及び第２の各支持板部６，７の側に近付くように、締付具本体Ｅとレバー体Ｌとがスライド量（Ｓ）だけ相対的に一気にスライドされることで、締付具本体Ｅの一対のスライド防止部３４の外周面に設けられた各スライド可能溝３６に各第１支持板部６が嵌り込むと共に、締付具本体Ｅの被係合溝部１８ｂに、レバー体Ｌの係合突起３９が挿入されて係合され〔図８−Ｂ（ｄ）〕、バンド体Ｂに作用する張力Ｔによって、スライド防止部３４のスライド可能溝３６に第１支持板部６が嵌り込んだ状態、及び被係合溝部１８ｂと係合突起３９との係合状態が維持されることで、当該係合が解除されなくなる。ここで、一対のスライド防止部３４の各スライド可能溝３６に左右一対の第１支持板部６がそれぞれ嵌り込むことで、締付具本体Ｅに対するレバー体Ｌの開方向への回動を防止できるが、被係合溝部１８ｂと係合突起３９との係合により、当該レバー体Ｌの開方向への回動を一層確実に防止している。なお、図４（ａ）において、被係合溝１８の挿入溝部１８ａの軸支部４の側の端面と前記位置Ｃ1 との間の距離（Ｍ’）は、前記距離（Ｍ）よりも僅かに小さくなっていて、レバー体Ｌの閉状態で、締付具本体Ｅの被係合溝１８の挿入溝部１８ａに対するレバー体Ｌの係合突起３９の挿入を可能にしている。
【００３７】
また、図８−Ｂ（ｄ）の状態では、バンド体Ｂの張力Ｔにより、レバー体Ｌのバンド体引掛け固定部３３は、一対の第２支持板部７の各支持面７ａに当接することで、バンド体Ｂの張力Ｔは、一対の第１支持板部６及び一対の第２支持板部７によって支持される。換言すると、バンド体Ｂの張力Ｔは、締付具本体Ｅ及びレバー体Ｌの幅方向のほぼ全幅に亘って支持されるので、その支持力は、極めて大きくなる。
【００３８】
そして、例えば、図１０に示されるように、バンド体締付具Ｆを用いて、架設ポール７１に機器収容ボックス７２を固定するには、一端側Ｂ1 が締付具本体Ｅに固定されたバンド体Ｂを、機器収容ボックス７２の背面のバンド体挿通孔７３に挿通させ、当該バンド体Ｂの他端側Ｂ2 をレバー体Ｌの回動により引き寄せて、当該レバー体Ｌに固定する。即ち、図７（ａ）及び図８−Ａ（ａ）に示されるように、締付具本体Ｅに対してレバー体Ｌを起立させて、当該レバー体Ｌのバンド体引掛け固定部３３に設けられたバンド体挿通孔３２にバンド体Ｂの他端側の端部を挿通させ、この状態で、図８−Ｂ（ｄ）に示されるように、レバー体Ｌを締付具本体Ｅの側に引き倒す。これにより、レバー体Ｌのバンド体引掛け固定部３３のバンド体挿通孔３２に挿通されたバンド体Ｂは、２箇所で鋭角状に屈曲されることで、当該バンド体Ｂは、弛むことなく締め付けられて、架設ポール７１に機器収容ボックス７２が固定される。なお、バンド体Ｂの前記屈曲部よりも先端の余長部は、締付具本体Ｅのバンド体挿通・固定部３の傾斜面１６及び平行面１７とレバー体Ｌのレバー部３１との間に挟まれる。
【００３９】
また、締付具本体Ｅに対してレバー体Ｌを引き倒すことで、レバー体Ｌの係合突起３９は、締付具本体Ｅの被係合溝１８の挿入溝部１８ａに挿入された後に、バンド体Ｂの張力Ｔにより、締付具本体Ｅ及びレバー体Ｌが互いに引っ張られることで、締付具本体Ｅ及びレバー体Ｌは、当該レバー体Ｌが締付具本体Ｅの第１及び第２の各支持板部６，７の側に近接するように、相対的にスライドさせられて、レバー体Ｌの係合突起３９は、締付具本体Ｅの被係合溝１８の被係合溝部１８ｂに挿入係合され、バンド体Ｂの張力Ｔにより、この係合状態が維持されるため、係合が解除されることはない。当該レバー体Ｌの一対のスライド防止部３４の外周に形成された各スライド可能溝３６に一対の第１支持板部６が嵌り込むことで、レバー体Ｌの上記スライドが可能となる。また、図７（ｂ）及び図 8−Ｂ（ｄ）に示されるように、締付具本体Ｅ及びレバー体Ｌの上記した相対的なスライドにより、レバー体Ｌのバンド体引掛け固定部３３が一対の第２支持板部７に当接されるために、バンド体Ｂの他端側Ｂ2 の張力Ｔによりレバー体Ｌに作用する引張力を有効に受け止めることができることは、上記した通りである。
【００４０】
また、締付具本体Ｅの被係合溝部１８ｂとレバー体Ｌの係合突起３９との係合は、バンド体Ｂに作用する張力Ｔにより、締付具本体Ｅとレバー体Ｌとが相対的にスライドされることで、解除不能となっている。このため、バンド体締付具Ｆを用いてバンド体Ｂを締め付けている状態において、締付具本体Ｅの被係合溝１８とレバー体Ｌの係合突起３９との係合を解除することは、容易ではない。
【００４１】
そこで、前記係合の解除を容易にするために、締付具本体Ｅの一対の側壁部２における被係合溝１８よりも軸支部４に近い部分には、レバー体Ｌの係合解除溝４１に対応する係合解除溝２１が形成されている。図９及び図１０に示されるように、レバー体Ｌが締付具本体Ｅに対して閉状態において、バンド体Ｂの張力Ｔにより、締付具本体Ｅとレバー体Ｌとが相対的にスライドさせられて、上記した「係合状態」となった場合には、締付具本体Ｅの係合解除溝２１とレバー体Ｌの係合解除溝４１とは、バンド体Ｂの張力Ｔの作用方向Ｐに沿って、一部が重複した状態でずれて配置されている。これにより、バンド体Ｂの張力Ｔの作用方向Ｐに沿って一部が重複した状態でずれて配置された各係合解除溝２１，４１に亘って、マイナスドライバー６１の先端部を挿入した状態で、当該マイナスドライバー６１をこじる（無理に回動させる）と、締付具本体Ｅとレバー体Ｌとは、上記と逆方向にスライドされて、締付具本体Ｅの被係合溝１８の被係合溝部１８ｂと、レバー体Ｌの係合突起３９との係合が解除されて、締付具本体Ｅに対してレバー体Ｌを開くことができる状態となる。
【００４２】
また、上記実施例では、レバー体Ｌの側に支持軸部３５が設けられ、締付具本体Ｅの側に、当該支持軸部３５を支持する軸受凹部５が設けられているが、支持軸部及び軸受凹部が形成される部材を、上記実施例と逆にしてもよい。即ち、締付具本体Ｅの一対の側壁部２の内側面に短軸状の支持軸部が設けられ、レバー体Ｌのスライド防止部３４の外側面に軸受凹部を設けることも可能である。
【００４３】
本発明の本質は、締付具本体に対してレバー体が閉状態において、バンド体に作用する張力によって、締付具本体に対してレバー体が当該張力の作用方向に僅かにスライドされる構造にして、レバー体の係合部と締付具本体の被係合部との係合の解除を不能にした構成に存在する。従って、バンド体に作用する張力によって、締付具本体に対してレバー体が当該張力の作用方向に僅かにスライドされる構造が採用されておれば、レバー体の係合部と締付具本体の被係合部とは、両者が相対的にバンド体の張力の作用方向にスライド可能な位置であれば、上記実施例のように、レバー体Ｌのレバー部３１の先端部、及び締付具本体Ｅのバンド体挿通・固定部３の側の端部のみならず、いずれの位置であってもよい。具体的には、レバー体Ｌのレバー部３１における回動軸部Ｒに近い部分に係合部を設け、締付具本体Ｅにおける当該係合部に対応する位置に被係合部を設けることも可能である。
【符号の説明】
【００４４】
Ｂ：バンド体
Ｂ1 ：バンド体の一端側
Ｂ2 ：バンド体の他端側
Ｃ0 ：回動軸部の回動軸心
Ｃ1 ：締付具本体におけるレバー体の回動時の回動軸心の位置
Ｃ2 ：締付具本体におけるレバー体の係合時の回動軸心の位置
Ｃ3 ：円弧状のスライド可能溝の形成の中心
Ｅ：締付具本体
Ｆ：バンド体締付具
Ｌ：レバー体
Ｐ：バンド体の張力の作用方向（締付具本体とレバー体との相対的なスライド方向）
Ｒ：レバー体の回動軸部
Ｓ：レバー体のスライド量
Ｔ：バンド体の張力
５：軸受凹部（軸受部）
６：第１支持板部（支持部) 
６ａ：支持面
７：第２支持板部（支持部) 
７ａ：支持面
１８：被係合溝（被係合部）
１８ａ：挿入溝部
１８ｂ：被係合溝部
２１：締付具本体の係合解除溝
３３：バンド体引掛け固定部
３４：スライド防止部
３５：支持軸部
３６：スライド可能溝
３９：係合突起（係合部）
４１：レバー体の係合解除溝
【図１】
0006262106.tif 000002
【図２】
0006262106.tif 000003
【図３】
0006262106.tif 000004
【図４】
0006262106.tif 000005
【図５】
0006262106.tif 000006
【図６】
0006262106.tif 000007
【図７】
0006262106.tif 000008
【図８−Ａ】
0006262106.tif 000009
【図８−Ｂ】
0006262106.tif 000010
【図９】
0006262106.tif 000011
【図１０】
0006262106.tif 000012